(57)【要約】【課題】点検作業を簡単に行うことができるアクティブアンテナシステムを提供する。【解決手段】複数のアンテナ素子と、前記複数のアンテナ素子それぞれにより送信される無線信号の処理を行う複数の信号処理部と、前記複数のアンテナ素子及び前記複数の信号処理部が収容された筐体と、を備えたアクティブアンテナシステムであって、前記各信号処理部から、対応する前記アンテナ素子に出力される送信信号を取り出す複数の信号取出部と、前記筐体に設けられ、取り出された前記送信信号を前記筐体の外部に出力可能な点検用ポートと、を備えるアクティブアンテナシステム。【選択図】図２
2017169173.tif 000002
【特許請求の範囲】
【請求項１】
複数のアンテナ素子と、
前記複数のアンテナ素子それぞれにより送信される無線信号の処理を行う複数の信号処理部と、
前記複数のアンテナ素子及び前記複数の信号処理部が収容された筐体と、を備えたアクティブアンテナシステムであって、
前記各信号処理部から、対応する前記アンテナ素子に出力される送信信号を取り出す複数の信号取出部と、
前記筐体に設けられ、取り出された前記送信信号を前記筐体の外部に出力可能な点検用ポートと、を備えるアクティブアンテナシステム。
【請求項２】
互いに異なる前記信号取出部により取り出された２以上の前記送信信号を合成して前記点検用ポートに出力する合成器をさらに備える請求項１に記載のアクティブアンテナシステム。
【請求項３】
前記各信号取出部と前記合成器とを接続する経路上にそれぞれ設けられ、当該経路を断接する複数のスイッチをさらに備える請求項２に記載のアクティブアンテナシステム。
【請求項４】
前記複数のスイッチを個別に制御する制御部をさらに備える請求項３に記載のアクティブアンテナシステム。
【発明の詳細な説明】
【技術分野】
【０００１】
本発明は、無線通信システムの基地局装置等に用いられるアクティブアンテナシステムに関する。
【背景技術】
【０００２】
従来から、携帯電話等の無線通信システムに用いられる基地局装置では、無線周波数の信号を処理する無線送受信部（ＲＲＨ；Ｒｅｍｏｔｅ Ｒａｄｉｏ Ｈｅａｄ）と、ベースバンド信号に関する処理を行うベースバンド信号処理部（ＢＢＵ；Ｂａｓｅ Ｂａｎｄ Ｕｎｉｔ）とを分離した構成が採用されている。
【０００３】
ＲＲＨには、屋外に設置されたアンテナシステムが同軸ケーブル等を介して接続される。ＲＲＨと、アンテナシステムとの間においては、アンテナシステムが送受信する無線周波数の送受信信号が同軸ケーブル等を介して伝送される。
また、ＲＲＨとＢＢＵとの間は光ファイバケーブル等によって接続され、両者の間においては光通信等によってデジタルのベースバンド信号が伝送される。
【０００４】
通常、ＢＢＵは屋内に設置され、ＲＲＨは屋外のアンテナシステムの直下に設置される。このように、基地局装置の送受信機能をＢＢＵとＲＲＨとに分離し、ＲＲＨを当該アンテナシステムの近傍に設置することで、アンテナシステムとＲＲＨとを接続する同軸ケーブルの長さをできるだけ短くし、同軸ケーブルによって無線周波数の送受信信号が減衰されるのを抑制している。
【０００５】
そして、ＲＲＨには、Ｅｔｈｅｒｎｅｔ（登録商標）やＲＣ２３２Ｃ等に準拠した接続方法により、外部と通信するためのケーブルが接続される保守ポートが設けられている（例えば、特許文献１参照）。これにより、例えば、保守ポートの１つとして外部の測定器とケーブルを介して接続するポートを用意することで、ＲＲＨの無線性能を調べて電波法等を遵守していることや、内部の各機器が正常に動作していること等を確認する点検作業が行えるようになっている。以下、このポートを点検用ポートと呼ぶ。
【先行技術文献】
【特許文献】
【０００６】
【特許文献１】特開２０１１-２５４４１５号公報（図２参照）
【発明の概要】
【発明が解決しようとする課題】
【０００７】
近年、無線通信システムにおいては、スマートフォン等の普及により、通信エリアの拡大や通信容量の拡張に対する要求が高まっており、ＲＲＨとしての機能を内蔵したアクティブアンテナシステムの基地局装置への適用が提案されている。
アクティブアンテナシステムは、複数のアンテナ素子と、複数のアンテナ素子それぞれに対応して設けられた複数の無線送受信部（従来のＲＲＨに相当）とを備えている。このため、アンテナ素子ごとに送受信される無線信号を制御することができ制御性に優れており、この優れた制御性を利用して通信環境を向上し得る新たなサービスの提供が可能となる。
【０００８】
しかし、アクティブアンテナシステムでは、無線送受信部とアンテナ素子とが筐体内で一体化された構造となる。このため、従来のＲＲＨと同様に、無線送受信部の出力部で無線信号の品質を確認しようとすると、点検作業時に筐体の外部から無線送受信部の出力部に容易にアクセスすることができないという問題が生じる。
【０００９】
また、複数の無線送受信部それぞれに設けた点検用ポートに同軸ケーブルを接続し、各無線送受信部から信号を取り出して点検作業を行う場合、多数の点検用ポート毎に同軸ケーブルを接続する作業が必要となるため、作業性が著しく困難となる。また、アンテナ素子毎の無線送受信部の単体の出力ではなく、合成したアンテナ素子全体としての出力を確認したいというニーズもある。
【００１０】
本発明はこのような事情に鑑みてなされたものであり、点検作業を簡単に行うことができるアクティブアンテナシステムを提供することを目的とする。
【課題を解決するための手段】
【００１１】
本発明の一態様に係るアクティブアンテナシステムは、複数のアンテナ素子と、前記複数のアンテナ素子それぞれにより送信される無線信号の処理を行う複数の信号処理部と、前記複数のアンテナ素子及び前記複数の信号処理部が収容された筐体と、を備えたアクティブアンテナシステムであって、前記各信号処理部から、対応する前記アンテナ素子に出力される送信信号を取り出す複数の信号取出部と、前記筐体に設けられ、取り出された前記送信信号を前記筐体の外部に出力可能な点検用ポートと、を備えるアクティブアンテナシステムである。
【発明の効果】
【００１２】
本発明のアクティブアンテナシステムによれば、点検作業を簡単に行うことができる。
【図面の簡単な説明】
【００１３】
【図１】本発明の第１実施形態に係るアクティブアンテナシステムを備えた基地局装置の一部を示すブロック図である。
【図２】アクティブアンテナシステムのブロック図である。
【図３】信号処理モジュールのブロック構成図である。
【図４】本発明の第２実施形態に係るアクティブアンテナシステムのブロック図である。
【図５】本発明の第３実施形態に係るアクティブアンテナシステムのブロック図である。
【図６】本発明の第４実施形態に係るアクティブアンテナシステムを備えた基地局装置の一部を示すブロック図である。
【図７】本発明の第５実施形態に係るアクティブアンテナシステムを備えた基地局装置の一部を示すブロック図である。
【発明を実施するための形態】
【００１４】
［本発明の実施形態の説明］
最初に本発明の実施形態の内容を列記して説明する。
（１）本発明の実施形態に係るアクティブアンテナシステムは、複数のアンテナ素子と、前記複数のアンテナ素子それぞれにより送信される無線信号の処理を行う複数の信号処理部と、前記複数のアンテナ素子及び前記複数の信号処理部が収容された筐体と、を備えたアクティブアンテナシステムであって、前記各信号処理部から、対応する前記アンテナ素子に出力される送信信号を取り出す複数の信号取出部と、前記筐体に設けられ、取り出された前記送信信号を前記筐体の外部に出力可能な点検用ポートと、を備える。
【００１５】
上記アクティブアンテナシステムによれば、アンテナ素子及び信号処理部が収容された筐体に、信号取出部が取り出したアンテナ素子への送信信号を外部に出力可能な点検用ポートが設けられているので、点検用ポートに測定器等の外部機器のケーブルを接続することで、筐体の外部から信号処理部に容易にアクセスすることができる。これにより、アクティブアンテナシステムの点検作業を容易に行うことができる。
【００１６】
（２）前記アクティブアンテナシステムは、互いに異なる前記信号取出部により取り出された２以上の前記送信信号を合成して前記点検用ポートに出力する合成器をさらに備えるのが好ましい。
この場合、互いに異なる信号取出部により取り出された２以上の送信信号は、合成器により合成されて点検用ポートに出力されるので、２以上のアンテナ素子から放射した実際の無線信号と同等の信号を、点検用ポートから外部に出力して確認することができる。
【００１７】
（３）前記アクティブアンテナシステムは、前記各信号取出部と前記合成器とを接続する経路上にそれぞれ設けられ、当該経路を断接する複数のスイッチをさらに備えるのが好ましい。
この場合、いずれか１つのスイッチのみをオンとし、他のスイッチをすべてオフとすることにより、各信号取出部から取り出された送信信号を合成器を介して点検用ポートから外部に出力することができる。これにより、故障している信号処理部の特定や、各信号処理部の経年劣化状況を容易に確認することができる。また、２以上の所定数のスイッチをオンとし、他のスイッチをオフとすることにより、任意の所定数の送信信号を合成器により合成して点検用ポートから外部に出力することも可能となる。
【００１８】
（４）前記アクティブアンテナシステムは、前記複数のスイッチを個別に制御する制御部をさらに備えるのが好ましい。
この場合、制御部により複数のスイッチを個別に制御することで、点検用ポートから外部に出力する信号を容易に変更することができる。
【００１９】
［本発明の実施形態の詳細］
以下、本発明の実施形態について添付図面に基づき詳細に説明する。
［第１実施形態］
＜基地局装置について＞
図１は、本発明の第１実施形態に係るアクティブアンテナシステムを備えた基地局装置の一部を示すブロック図である。基地局装置１は、例えば、ＬＴＥ（Long Term Evolution）が適用される携帯電話用の無線通信システムにおいて基地局装置として用いられるものであり、携帯電話等の複数の移動端末（図示省略）とＭＩＭＯ（Multiple Input Multiple Output）伝送による無線通信を行う機能を有している。
【００２０】
基地局装置１は、ベースバンドユニット（ＢＢＵ）２と、リモートラジオヘッド（ＲＲＨ）３と、アクティブアンテナシステム４（以下、単にアンテナシステム４ともいう）とを備えている。
ＢＢＵ２は、光ファイバケーブル等の信号伝送路５を介してＲＲＨ３に接続されており、ＲＲＨ３との間でＣＰＲＩ（Common Public Radio Interface）に準拠したフレーム（ＣＰＲＩフレーム）の送受信を行う機能を有している。
具体的には、ＢＢＵ２は、ＲＲＨ３から信号伝送路５を介してデジタル信号である受信ベースバンド信号（Ｉ／Ｑ信号）を取得する。そして、ＢＢＵ２は、受信ベースバンド信号に対してデジタル復調処理を行うことで受信データを生成する機能を有しており、生成した受信データを上位ネットワークに与える。
【００２１】
ＢＢＵ２は、上位ネットワーク（図示せず）から与えられる送信データに対してデジタル変調処理を行うことで送信ベースバンド信号を生成する機能を有している。ＢＢＵ２は、送信データを変調して得たデジタルの送信ベースバンド信号を信号伝送路５を介してＲＲＨ３に与える。
【００２２】
ＲＲＨ３は、当該ＲＲＨ３から延びる同軸ケーブル６，７を、アンテナシステム４の筐体１１に設けられた接続ポート６ａ，７ａにそれぞれ接続することでアンテナシステム４に接続されており、送受信信号を送受信する際の信号処理を行う。なお、本実施形態の接続ポート６ａ，７ａは、図１では図示を一部省略しているが、筐体１１の底面１１ａにそれぞれ複数（例えば４個）設けられており、各接続ポート６ａ，７ａには、ＲＲＨ３から延びる同数の同軸ケーブル６，７がそれぞれ接続されている。
【００２３】
ＲＲＨ３は、ＢＢＵ２から与えられる送信ベースバンド信号に対して各種信号処理を行うことでアナログの無線周波数の信号に変換する機能を有している。そして、ＲＲＨ３は、変換したアナログの無線周波数の送信信号を同軸ケーブル６を介してアンテナシステム４に与える。
ＲＲＨ３は、同軸ケーブル７を介してアンテナシステム４から与えられる無線周波数の受信信号に対して各種信号処理を行うことでデジタルの受信信号に変換する機能を有している。ＲＲＨ３は、変換したデジタルの受信信号をＢＢＵ２に与える。
【００２４】
アンテナシステム４は、ＲＲＨ３よりも高所（ビルの屋上や鉄塔上など）に設置されている。アンテナシステム４は、筐体１１の内部に収納された、無線周波数の信号を送受信する複数のアンテナ素子１０を備えており、基地局装置１が移動端末との間で無線通信を行う際に、当該無線通信に係る無線信号を送受信する機能を有している。本実施形態のアンテナシステム４は、互いに直交する偏波方向となる２個のアンテナ素子１０を１組として、４×Ｎ個のアンテナ素子１０を備えている。
【００２５】
アンテナシステム４は、ＲＲＨ３から与えられる無線周波数の送信信号を、複数のアンテナ素子１０それぞれに対応して分配し、各アンテナ素子１０から無線信号として送信する。また、アンテナシステム４は、複数のアンテナ素子１０が無線信号として受信する無線周波数の受信信号を合成し、合成した無線周波数の信号をＲＲＨ３に与える。
このように、基地局装置１は、デジタルの送信信号を無線周波数の信号に変換して移動端末に送信するとともに、移動端末が送信した無線周波数の信号を受信し、移動端末からの受信信号を取得する。
【００２６】
＜アンテナシステムについて＞
図２は、アンテナシステム４のブロック図である。アンテナシステム４は、上記筐体１１及び複数のアンテナ素子１０と、複数の分配合成器１２と、複数の信号処理モジュール１３と、制御部１４と、合成器１５とを有している。
分配合成器１２は、筐体１１内において接続ポート６ａ（７ａ）と同数設けられている。各分配合成器１２は、１組の接続ポート６ａ，７ａにそれぞれ接続されているとともに、複数の信号処理モジュール１３に接続されている。これら複数の信号処理モジュール１３は、偏波方向が同一のアンテナ素子１０にそれぞれ接続されている。
【００２７】
以上の構成により、１個の分配合成器１２と、この分配合成器１２が接続されている複数の信号処理モジュール１３と、これら複数の信号処理モジュール１３がそれぞれ接続される複数のアンテナ素子とが１ブランチを構成している。したがって、本実施形態のアンテナシステム４は、４ブランチＭＩＭＯの機能を有している。
【００２８】
分配合成器１２は、ＲＲＨ３から接続ポート６ａを介して与えられる無線周波数の送信信号を複数の信号処理モジュール１３それぞれに対応して分配し、分配した送信信号を各信号処理モジュール１３に与える。
また、分配合成器１２は、複数のアンテナ素子１０が無線信号として受信した受信信号を合成し、合成した無線周波数の受信信号を接続ポート７ａからＲＲＨ３に与える。
【００２９】
＜信号処理モジュールについて＞
図３は、信号処理モジュール１３のブロック構成図である。信号処理モジュール１３は、２つの共用器２１，２２と、信号処理部２３とを備えている。
信号処理部２３は、信号処理モジュール１３に接続されているアンテナ素子１０により送信される無線周波数の信号（無線信号）の処理を行うために、第１移相器２７と第１増幅器２８とを有する。また、信号処理部２３は、信号処理モジュール１３に接続されているアンテナ素子１０が受信した無線信号の処理を行うために、第２移相器２９と第２増幅器３０とを有する。
【００３０】
一方の共用器２１は、第１移相器２７及び第２移相器２９に接続されているとともに、分配合成器１２（図２参照）に接続されている。他方の共用器２２は、第１増幅器２８及び第２増幅器３０に接続されているとともに、アンテナ素子１０（図２参照）に接続されている。
【００３１】
共用器２１は、分配合成器１２から入力された無線信号（無線周波数の送信信号）を第１移相器２７に与える。第１移相器２７は、共用器２１から与えられた送信信号の位相を調整する。第１移相器２７は、位相を調整した送信信号を第１増幅器２８に与える。
第１増幅器２８は、第１移相器２７から与えられた送信信号の電力を増幅し、電力を増幅した送信信号を信号取出部２５を通過して共用器２２に与える。共用器２２は、第１増幅器２８から与えられた送信信号をアンテナ素子１０へ出力する。
【００３２】
一方、アンテナ素子１０が受信した無線信号（無線周波数の受信信号）は、共用器２２に与えられる。共用器２２は、入力された受信信号を第２増幅器３０に与える。第２増幅器３０は、入力された受信信号の電力を増幅し、電力を増幅した送信信号を第２移相器２９に与える。
第２移相器２９は、第２増幅器３０から与えられた受信信号の位相を調整し、位相を調整した受信信号を共用器２１に与える。共用器２１は、第２移相器２９から与えられた受信信号を分配合成器１２へ出力する。
【００３３】
このように、各信号処理モジュール１３は、複数のアンテナ素子１０により送受信される送受信信号に対して、位相の調整や電力の増幅といった処理をアンテナ素子１０ごとに行うことができるアクティブアンテナとして機能させる処理を行うことができる。
【００３４】
信号処理モジュール１３は、信号取出部２５と、スイッチ２６とをさらに備えている。信号取出部２５は、例えば方向性結合器からなり、第１増幅器２８と共用器２２との間に設けられている。信号取出部２５は、信号処理部２３からアンテナ素子１０に向けて出力される送信信号を取り出すものである。具体的には、信号取出部２５は、信号処理部２３の第１増幅器２８により電力を増幅した送信信号を取り出し、その送信信号を合成器１５に与える。
【００３５】
スイッチ２６は、信号取出部２５と合成器１５とを接続する経路上に設けられ、当該経路を断接するものである。本実施形態のスイッチ２６は、例えば多ポート高周波スイッチよりなり、ａ接点、ｂ接点及びｃ接点を有する。そして、スイッチ２６は、ａ接点をｂ接点に接続したオフ状態、及びａ接点をｃ接点に接続したオン状態のいずれか一方の状態となるように、制御部１４により切り替え制御される。
スイッチ２６のａ接点は信号取出部２５に接続されている。また、スイッチ２６のｂ接点には、例えば終端器３１が接続されており、スイッチ２６のｃ接点は合成器１５（図２参照）に接続されている。
【００３６】
以上の構成により、信号処理部２３からアンテナ素子１０に送信信号を出力する場合には、制御部１４はスイッチ２６をオフ（ａ接点をｂ接点に接続した状態）とし、信号取出部２５を終端器３１に接続する。
そして、この状態から、信号処理部２３から出力された送信信号を信号処理モジュール１３の外部に取り出す場合には、制御部１４はスイッチ２６をオン（ａ接点をｃ接点に接続した状態）に切り替え、信号取出部２５を合成器１５に接続する。
【００３７】
＜制御用ポート及び点検用ポートについて＞
図１及び図２において、制御部１４は、筐体１１内に設けられ、各信号処理モジュール１３のスイッチ２６を個別に制御する機能を有している。制御部１４は、筐体１１の底面１１ａに設けられた制御用ポート８ａに接続されている。制御用ポート８ａは、例えばＥｔｈｅｒｎｅｔ（登録商標）に準拠したポートであり、測定器やノートパソコン等の外部機器５０から延びる制御用ケーブル８が接続されるようになっている。
【００３８】
制御部１４には、外部機器５０から、制御用ケーブル８及び制御用ポート８ａを介して、１又は複数の信号処理モジュール１３のスイッチ２６を制御するための制御情報が入力される。これにより、本実施形態の制御部１４は、制御用ケーブル８を制御用ポート８ａに接続することで、外部機器５０から入力された制御情報により各信号処理モジュール１３のスイッチ２６を個別に制御するようになっている。
【００３９】
合成器１５は、筐体１１内に設けられ、互いに異なる２以上の信号処理モジュール１３の信号取出部２５により取り出された送信信号を合成する機能を有している。本実施形態の合成器１５は、筐体１１内に１個だけ設けられており、全ての信号処理モジュール１３から取り出された送信信号を合成するようになっている。
【００４０】
合成器１５は、筐体１１の底面（外面）１１ａに設けられた単一の点検用ポート９ａに接続されており、合成した送信信号を点検用ポート９ａに出力するようになっている。また、合成器１５は、単一の信号処理モジュール１３から取り出された送信信号が与えられた場合には、その送信信号をそのまま点検用ポート９ａに出力する。
【００４１】
点検用ポート９ａは、例えばＥｔｈｅｒｎｅｔ（登録商標）に準拠したポートであり、外部機器５０から延びる点検用ケーブル９が接続されるようになっている（図１参照）。これにより、点検用ケーブル９を点検用ポート９ａに接続することで、合成器１５が合成した送信信号を筐体１１の外部である外部機器５０に出力することができる。
【００４２】
以上のように、本実施形態では、アンテナ素子１０及び信号処理部２３が収容された筐体１１に、信号取出部２５が取り出したアンテナ素子１０への送信信号を外部に出力可能な点検用ポート９ａが設けられているので、点検用ポート９ａに外部機器５０の点検用ケーブル９を接続することで、筐体１１の外部から信号処理部２３に容易にアクセスすることができる。これにより、アンテナシステム４の点検作業を容易に行うことができる。
【００４３】
また、互いに異なる信号取出部２５により取り出された２以上の送信信号は、合成器１５により合成されて点検用ポート９ａに出力されるので、２以上のアンテナ素子１０から放射した実際の無線信号と同等の信号を、点検用ポート９ａから外部機器５０に出力して確認することができる。
【００４４】
また、各信号取出部２５と合成器１５とを接続する経路上には、当該経路を断接するスイッチ２６がそれぞれ設けられている。このため、いずれか１つのスイッチ２６のみをオンとし、他のスイッチをすべてオフとすることにより、各信号取出部２５から取り出された送信信号を合成器１５を介して点検用ポート９ａから外部に出力することができる。
【００４５】
これにより、故障している信号処理部２３の特定や、各信号処理部２３の経年劣化状況を容易に確認することができる。また、２以上の所定数のスイッチ２６をオンとし、他のスイッチ２６をオフとすることにより、任意の所定数の送信信号を合成器１５により合成して点検用ポート９ａから外部に出力することも可能となる。
また、制御部１４により複数のスイッチ２６を個別に制御することができるので、点検用ポート９ａから外部に出力する信号を容易に変更することができる。
【００４６】
［第２実施形態］
図４は、本発明の第２実施形態に係るアンテナシステム４のブロック図である。本実施形態のアンテナシステム４と第１実施形態とが主に相違する点は、合成器１５（図２参照）を備えていない点である。このため、本実施形態のアンテナシステム４は、信号処理モジュール１３と同数の点検用ポート９ａを備えている。これにより、各信号処理モジュール１３から取り出された送信信号は、対応する点検用ポート９ａから個別に外部に出力されるようになっている。本実施形態の他の構成は、第１実施形態と同様であるため、説明を省略する。
【００４７】
以上、第２実施形態に係るアンテナシステム４によれば、第１実施形態と同様の作用効果を奏するとともに以下の作用効果を奏する。すなわち、各信号処理モジュール１３の信号処理部２３に対応する点検用ポート９ａに外部機器５０の点検用ケーブル９を接続することで、筐体１１の外部から各信号処理部２３に容易にアクセスすることができる。
【００４８】
なお、本実施形態では、信号処理モジュール１３内にスイッチ２６（図３参照）を設けているが、このスイッチ２６の替わりに各点検用ポート９ａに終端器を着脱可能に接続してもよい。この場合、点検用ポート９ａに点検用ケーブル９を接続するときには、終端器を取り外して点検用ケーブル９を接続すればよい。
【００４９】
［第３実施形態］
図５は、本発明の第３実施形態に係るアンテナシステム４のブロック図である。本実施形態のアンテナシステム４と第１実施形態とが主に相違する点は、複数の合成器１５及び複数の点検用ポート９ａを備えている点である。
図５において、本実施形態のアンテナシステム４は、ＭＩＭＯのブランチ数と同数（４個）の合成器１５及び点検用ポート９ａを備えている。
【００５０】
各合成器１５は、１ブランチを構成する複数の信号処理モジュール１３の信号取出部２５から取り出された送信信号を合成するようになっている。そして、各合成器１５には、単一の点検用ポート２６が接続されており、合成した送信信号を点検用ポート９ａに出力する。また、各合成器１５は、複数の信号処理モジュール１３のうち、いずれか１つの信号処理モジュール１３から取り出された送信信号が与えられた場合には、その送信信号をそのまま対応する点検用ポート９ａに出力する。本実施形態の他の構成は、第１実施形態と同様であるため、説明を省略する。
【００５１】
以上、第３実施形態に係るアンテナシステム４によれば、第１実施形態と同様の作用効果を奏するとともに以下の作用効果を奏する。すなわち、ＭＩＭＯのいずれか１つのブランチを構成する各信号処理モジュール１３のスイッチ２６をオンとし、他のブランチを構成する信号処理モジュール１３のスイッチ２６を全てオフとすることにより、各ブランチから放射される無線信号と同等の信号を、点検用ポート９ａから外部機器５０に出力することができる。これにより、各ブランチから放射される無線信号が所望の方向に放射されていることを容易に確認することができる。
【００５２】
なお、本実施形態のアンテナシステム４は、ＭＩＭＯのブランチ毎に合成器１５及び点検用ポート９ａを備えているが、アンテナ素子１０の互いに直交する２つの偏波方向毎に合成器１５及び点検用ポート９ａを備えていてもよい。例えば、図５では、右側及び左側にそれぞれ配置された複数の信号処理モジュール１３は、同一の偏波方向となるアンテナ素子１０に出力される。このため、右側の複数の信号処理モジュール１３から取り出した送信信号を１個の合成器１５で合成し、左側の複数の信号処理モジュール１３から取り出した送信信号を他の１個の合成器１５で合成してもよい。
【００５３】
［第４実施形態］
図６は、本発明の第４実施形態に係るアンテナシステム４を備えた基地局装置１の一部を示すブロック図である。本実施形態のアンテナシステム４と第１実施形態とが主に相違する点は、制御用ケーブル８の上流端がＲＲＨ３に接続されている点である。図６において、本実施形態のアンテナシステム４では、ＲＲＨ３から延びる制御用ケーブル８が筐体１１の制御用ポート８ａに接続されている。
【００５４】
ＲＲＨ３は、制御用ケーブル８及び制御用ポート８ａを介して筐体１１内の制御部１４（図２参照）に対して、１又は複数の信号処理モジュール１３のスイッチ２６を制御するための制御情報を与える。これにより、本実施形態の制御部１４は、制御用ケーブル８を制御用ポート８ａに接続することで、ＲＲＨ３から入力された制御情報により各信号処理モジュール１３のスイッチ２６を制御する。本実施形態の他の構成は、第１実施形態と同様であるため、説明を省略する。
以上、第４実施形態に係るアンテナシステム４においても、第１実施形態と同様の作用効果を奏する。
【００５５】
［第５実施形態］
図７は、本発明の第５実施形態に係るアクティブアンテナシステム４を備えた基地局装置１の一部を示すブロック図である。本実施形態のアンテナシステム４は、第４実施形態の変形例であり、第４実施形態と主に相違する点は、アンテナシステム４とＢＢＵ２とがＲＲＨ３を介さずに直接接続されている点である。
【００５６】
図７において、本実施形態のＢＢＵ２は、光ファイバケーブル等の信号伝送路５を介して、アンテナシステム４の筐体１１に設けられた接続ポート１７に接続されている。接続ポート１７は、筐体１１内においてＣＰＲＩに準拠したフレームの送受信を行うためのインターフェース部（図示省略）に接続されている。
【００５７】
ＢＢＵ２は、上位ネットワーク（図示せず）から与えられた送信データを変調して得た送信ベースバンド信号を、信号伝送路５を介してアンテナシステム４に与える。
また、ＢＢＵ２は、アンテナシステム４から信号伝送路５を介して与えられる、デジタル信号である受信ベースバンド信号（Ｉ／Ｑ信号）を取得し、この受信ベースバンド信号に対してデジタル復調処理を行い、受信データを生成する機能を有している。ＢＢＵ２は、受信ベースバンド信号を復調して得た受信データを上位ネットワークに与える。
【００５８】
さらに、ＢＢＵ２は、信号伝送路５を介して筐体１１内の制御部１４（図２参照）に対して、１又は複数の信号処理モジュール１３のスイッチ２６を制御するための制御情報を与える。これにより、本実施形態の制御部１４は、ＢＢＵ２から入力された制御情報により各信号処理モジュール１３のスイッチ２６を制御するようになっている。本実施形態の他の構成は、第１実施形態と同様であるため、説明を省略する。
以上、第５実施形態に係るアンテナシステム４においても、第１実施形態と同様の作用効果を奏する。
【００５９】
なお、今回開示された実施形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００６０】
１  基地局装置
２  ベースバンドユニット（ＢＢＵ）
３  リモートラジオヘッド（ＲＲＨ）
４  アクティブアンテナシステム
５  信号伝送路
６  同軸ケーブル
６ａ  接続ポート
７  同軸ケーブル
７ａ  接続ポート
８  制御用ケーブル
８ａ  接続ポート
９  点検用ケーブル
９ａ  点検用ポート
１０  アンテナ素子
１１  筐体
１１ａ  底面
１２  分配合成器
１３  信号処理モジュール
１４  制御部
１５  合成器
１７  接続ポート
２１  共用器
２２  共用器
２３  信号処理部
２５  信号取出部
２６  スイッチ
２７  第１移相器
２８  第１増幅器
２９  第２移相器
３０  第２増幅器
３１  終端器
５０  外部機器
【図１】
2017169173.tif 000003
【図２】
2017169173.tif 000004
【図３】
2017169173.tif 000005
【図４】
2017169173.tif 000006
【図５】
2017169173.tif 000007
【図６】
2017169173.tif 000008
【図７】
2017169173.tif 000009